【事件の表示】
　特願２０１３−１７３４５９号「遊技機」拒絶査定不服審判事件〔平成２６年３月２０日出願公開、特開２０１４−５０６８９号〕について、次のとおり審決する。
【結　論】
　本件審判の請求は、成り立たない。
【理　由】
１　手続の経緯 
　本件に係る出願（以下「本願」という。）は、平成１５年３月１９日にした特願２００３−７５８２７号（以下「原出願」という。）の一部を平成２２年１１月２日に新たな特許出願（特願２０１０−２４６７２４号）とし、さらにその一部を平成２５年８月２３日に新たな特許出願（特願２０１３−１７３４５９号）としたものであって、平成２６年６月２７日付けで拒絶理由が通知され、同年８月２９日に意見書、及び、手続補正書が提出されたところ、平成２７年４月１４日付けで拒絶査定がなされ（発送日：同年４月２１日）、これに対し、同年７月１日に拒絶査定不服審判の請求がなされたものである。 
　
２　本願発明
　本願の請求項１に係る発明（以下「本願発明」という。）は、平成２６年８月２９日の手続補正により補正された特許請求の範囲の請求項１に記載された事項により特定される次のとおりのものである。
　「図柄を表示する図柄表示部と、
　始動検出信号を入力すると、変動パターンの抽選を実行する変動パターン抽選手段を備える主制御基板と、
　前記主制御基板から受信した前記変動パターンに基づいて、前記変動パターンとは異なる第２変動パターンの抽選を実行し、変動過程を設定する変動過程抽選設定手段と、
　前記変動過程抽選設定手段によって設定された前記第２変動パターンを用いて前記図柄表示部に図柄の変動を表示させる遊技図柄提供手段と、
　を備え、
　前記主制御基板は、図柄の変動を停止する図柄変動停止指令を出力し、
　前記遊技図柄提供手段は、
　　前記主制御基板から前記図柄変動停止指令を入力すると、前記図柄表示部に図柄の変動を停止させることを特徴とする遊技機。」
　
３　刊行物に記載された発明
　原査定の拒絶理由において提示された、本願の出願前に頒布された刊行物である特開２００１−１７６７４号公報（以下「刊行物１」という。）には、図面と共に次の事項が記載されている（下線は審決で付与した。以下同じ。）。
　ア　「【０００１】
【発明の属する技術分野】本発明は、パチンコ遊技機やコイン遊技機等の遊技機に関し、特に、表示状態が変化可能な可変表示装置を含み、可変表示装置における表示結果があらかじめ定められた特定の表示態様となった場合に所定の遊技価値が付与可能となる遊技機に関する。」
　
　イ　「【０００７】
【発明が解決しようとする課題】従って、遊技の進行を制御する遊技制御手段は、表示制御手段に対して表示制御のためのコマンドを送信する必要がある。すると、表示による遊技演出を豊富にしようとすると、遊技制御手段の負荷は非常に大きくなってしまう。例えば、遊技演出のバリエーションを豊富にするために、図柄変動の種類を増加した場合には、増やされた変動の種類に応じてコマンドの種類数も増加する。よって、遊技制御手段が多くの種類のコマンドを扱わねばならず、遊技制御手段の可変表示制御に関する負担が大きくなってしまう。
【０００８】そこで、本発明は、図柄変動の種類を増加しても表示制御手段に送出されるコマンド数が増えず、遊技制御手段の図柄表示に関する制御の負担を軽くすることができる遊技機を提供することを目的とする。」
　
　ウ　「【００２１】遊技領域７の中央付近には、
複数種類の図柄を可変表示するための可変表示部９
　
　エ　「【００３３】
基本回路５３は
ＣＰＵ５６
を含む
・・・
【００３８】そして、
表示制御用ＣＰＵ１０１は、受信した表示制御コマンドに従って、ＣＲＴ８２に表示される画面の表示制御を行う
　
　オ　「【００５１】次に、遊技制御に用いられる大当り判定用乱数等の各判定用乱数を示す各カウンタを更新する処理を行う（ステップＳ１０）。図８は、各乱数を示す説明図である。
各乱数は、以下のように使用される。
（１）ランダム１：大当りを発生させるか否か決定する（大当り決定用）
（２）
ランダム２−１〜２−３：左右中のはずれ図柄決定用
（３）
ランダム３：大当り時の図柄の組合せを決定する（大当り図柄決定用）
（４）
ランダム４：はずれ時にリーチするか否か決定する（リーチ判定用）
（５）
ランダム５：リーチの種類を決定する（リーチ種類決定用）
　
　カ　「【００５７】次に、始動入賞口１４への入賞にもとづいて可変表示部９に可変表示される図柄の決定方法について図９〜図１１のフローチャートを参照して説明する。図９は打球が始動入賞口１４に入賞したことを判定する処理を示し、図１０は可変表示部９の可変表示の停止図柄を決定する処理を示す。図１１は、大当りとするか否か決定する処理を示すフローチャートである。
【００５８】打球が遊技盤６に設けられている始動入賞口１４に入賞すると、始動口センサ１７がオンする。メイン処理のステップＳ１１の特別図柄プロセス処理において、図９に示すように、
ＣＰＵ５６は、スイッチ回路５８を介して始動口センサ１７がオンしたことを判定すると（ステップＳ４１）
【００５９】また、
ＣＰＵ５６は、ステップＳ１１の特別図柄プロセス処理において、図１０に示すように
【００６０】そして、ＣＰＵ５６は、ステップＳ５１で読み出した値、すなわち抽出されている大当り決定用乱数の値にもとづいて当たり／はずれを決定する（ステップＳ５３）。ここでは、大当り決定用乱数は０〜２９９の範囲の値をとることにする。図１１に示すように、低確率時には例えばその値が「３」である場合に「大当り」と決定し、それ以外の値である場合には「はずれ」と決定する。高確率時には例えばその値が「３」，「７」，「７９」，「１０３」，「１０７」のいずれかである場合に「大当り」と決定し、それ以外の値である場合には「はずれ」と決定する。
【００６１】大当りと判定されたときには、ＣＰＵ５６は、
大当り図柄決定用乱数の値にもとづいて大当り図柄（確定図柄）を決定する
リーチ種類決定用乱数（ランダム５）
の値にもとづいてリーチ種類を決定する（ステップＳ５７）
【００６２】はずれと判定された場合には、ＣＰＵ５６は、
リーチとするか否か判定する
リーチ判定用の乱数であるランダム４の値
ＣＰＵ５６は、リーチ図柄の決定を行う
【００６３】この実施の形態では、
ランダム２−１の値に従って左右図柄を決定する（ステップＳ５９）
ランダム２−２の値に従って中図柄を決定する（ステップＳ６０）
リーチ種類決定用乱数（ランダム５）を抽出しその値にもとづいてリーチ種類を決定する（ステップＳ５７）
【００６４】ステップＳ５８において、リーチしないことに決定された場合には、ランダム２−１〜２−３の値に応じて左右中図柄を決定する（ステップＳ６１）。なお、後述するように、この実施の形態では、高確率状態では、はずれ時の変動パターンとして変動時間が短縮されたものも使用される。そこで、高確率状態では、ＣＰＵ５６は、通常のはずれ時の変動パターンを用いるか短縮された変動パターンを用いるのかを、例えば所定の乱数等を用いて決定する。
【００６５】以上のようにして、始動入賞にもとづく図柄変動の表示態様を大当りとするか、リーチ態様とするか、はずれとするか決定され、それぞれの停止図柄の組合せが決定される。」
　
　キ　「【００６８】
図１２は、ＣＰＵ５６が実行する特別図柄プロセス処理のプログラムの一例を示すフローチャートである
図１２に示すステップＳ３００〜Ｓ３０９のうちのいずれかの処理を行う。
・・・
【００７４】
全図柄停止待ち処理（ステップＳ３０５）
可変表示部９において表示される全図柄を停止すべきことを示す全図柄停止コマンドが表示制御基板８０に送出されるように制御する
　
　ク　「【００７９】上述したように、
始動入賞口１４に打球が入賞すると、基本回路５３は
特別図柄プロセス処理において、
停止図柄およびリーチ態様を決定するが
表示制御用ＣＰＵ１０１は、主基板３１からの表示制御コマンドに応じて可変表示部９の表示制御を行う
　
　ケ　「【００９１】なお、
表示制御基板８０の表示制御用ＣＰＵ１０１は、
【００９２】そして、
主基板３１から全図柄停止を指示する表示制御コマンドを受信すると、左右図柄の揺れ変動状態を終了させて左右中図柄が動かない確定状態になる
　
　コ　「【０１０２】そして、所定のタイミングが到来すると、左右中図柄を高速一定速で変動させ（（ｅ）参照）、確定図柄で停止させる（（ｆ）参照）。左右中の確定図柄は主基板３１のＣＰＵ５６から通知された図柄である。しかし、図２２（ｃ）に例示された仮停止図柄は、表示制御用ＣＰＵ１０１によって決定される。
【０１０３】すなわち、表示制御用ＣＰＵ１０１は、乱数等を用いて仮停止図柄を決定する。例えば、乱数の生成範囲を１〜１０に設定し、抽出された乱数値が確定図柄と仮停止図柄との差を示すものとすれば、仮停止図柄と最終停止図柄との差のコマ数が１〜１０図柄となる１０種類の変動パターンが存在することになる。この実施の形態では、再変動ありの変動態様としてリーチ１（再変動あり）〜リーチ５（再変動あり）の５種類があるので、結局、再変動ありの場合、５０種類の変動パターンが存在することになる。
【０１０４】しかし、主基板３１のＣＰＵ５６が扱う表示制御コマンドは、あくまで、リーチ１（再変動あり）〜リーチ５（再変動あり）の５種類である。つまり、変動パターンを増やしても、表示制御コマンドの数は増えず、主基板３１のＣＰＵ５６すなわち遊技制御手段の負担は増えない。再変動時の図柄変動数まで遊技制御手段が表示制御手段に通知するように構成した場合には、５０種類の表示制御コマンドが必要になり、それだけ遊技制御手段の負担が増えてしまう。」
　
　サ　「【０１３１】全図柄停止待ち設定処理（ステップＳ８４０）：変動時間の終了時に、全図柄停止を指示する表示制御コマンドを受信していたら、図柄の変動を停止し最終停止図柄（確定図柄）を表示する制御を行う。
【０１３２】大当り表示処理（ステップＳ８７０）：変動時間の終了後、確変大当り表示または通常大当り表示の制御を行う。
【０１３３】図３１は、表示制御コマンド受信待ち処理（ステップＳ７２０）を示すフローチャートである。表示制御コマンド受信待ち処理において、表示制御用ＣＰＵ１０１は、まず、変動態様を特定可能な表示制御コマンドを受信したか否か確認する（ステップＳ７２１）。変動態様を特定可能な表示制御コマンドは、図１４に示されたコマンド［８０（Ｈ），０１（Ｈ）］〜［８０（Ｈ），０Ｃ（Ｈ）］のいずれかである。変動態様を特定可能な表示制御コマンドを受信した場合には、表示制御プロセスフラグの値を仮停止図柄決定処理（ステップＳ７５０）に対応した値に変更する（ステップＳ７２２）。
【０１３４】なお、主基板３１から表示制御基板８０に最初に送信される表示制御コマンドは、変動態様を示すコマンドと左右中図柄の停止図柄を指定するコマンドであるが、それらは、表示制御データ格納エリアに格納されている（図２９におけるステップＳ６０５参照）。
【０１３５】図３２は、仮停止図柄決定処理（ステップＳ７５０）を示すフローチャートである。
仮停止図柄決定処理において、表示制御用ＣＰＵ１０１は、まず、変動態様を特定可能な表示制御コマンドから、リーチにもならないはずれか否か判断する（ステップＳ７５１）
【０１３６】はずれであるならば、主基板３１から通知された左右の停止図柄が異なっているものであるか否か確認する（ステップＳ７５２）。一致していた場合には、右停止図柄を１図柄ずらしたものとする（ステップＳ７５３）。そして、左右中の停止図柄を所定の記憶エリアに格納する（ステップＳ７５４）。また、監視タイマに７．９秒を設定する（ステップＳ７５２）。７．９秒は、はずれ時の変動時間７．８秒に対して余裕を持たせた値であり、監視タイマがタイムアウトする前に全図柄停止を指定するコマンドを受信できなかったときには所定の処理が行われる。
【０１３７】ステップＳ７５１において、はずれでなかったら、すなわち、コマンド［８０（Ｈ），０３（Ｈ）］〜［８０（Ｈ），０Ｃ（Ｈ）］のいずれかを受信していたら、左右の停止図柄が同一か否か確認する（ステップＳ７５６）。異なっていた場合には、右停止図柄を左停止図柄と同じものにする（ステップＳ７５７）。そして、左右中の停止図柄を所定の記憶エリアに格納する（ステップＳ７５４）。また、表示制御用ＣＰＵ１０１は、コマンド［８０（Ｈ），０３（Ｈ）］〜［８０（Ｈ），０Ｃ（Ｈ）］に応じた変動時間に０．１秒を加算した値を監視タイマに設定する（ステップＳ７５９）。
【０１３８】また、
主基板３１から再変動ありの変動態様を通知されていたら、
所定の乱数にもとづいて仮停止図柄を決定する
　
　シ　「【０１５５】以上のように、この実施の形態では、可変表示部９に可変表示される図柄の変動態様と停止図柄を特定可能な情報を遊技制御手段すなわち
主基板３１のＣＰＵ５６
　
　ス　上記カの【００５８】には、「
ＣＰＵ５６は、スイッチ回路５８を介して始動口センサ１７がオンしたことを判定すると（ステップＳ４１）
　上記カの【００５９】には、「
ＣＰＵ５６は、ステップＳ１１の特別図柄プロセス処理において、
　上記クの【００７９】には、「上述したように、
始動入賞口１４に打球が入賞すると、基本回路５３は
特別図柄プロセス処理において、
停止図柄およびリーチ態様を決定するが、
　そして、上記シ【０１５５】の「・・・
主基板３１のＣＰＵ５６
基本回路５３は
ＣＰＵ５６
を含む
　
　したがって、刊行物１には、「
主基板３１のＣＰＵ５６は
スイッチ回路５８を介して始動口センサ１７がオンしたことを判定（ステップＳ４１）すると
ステップＳ１１の特別図柄プロセス処理において、
停止図柄およびリーチ態様を決定
　
　セ　上記オの【００５１】には、「
各乱数は、以下のように使用される。
（１）ランダム１：大当りを発生させるか否か決定する（大当り決定用）
（２）
ランダム２−１〜２−３：左右中のはずれ図柄決定用
（３）
ランダム３：大当り時の図柄の組合せを決定する（大当り図柄決定用）
（４）
ランダム４：はずれ時にリーチするか否か決定する（リーチ判定用）
（５）
ランダム５：リーチの種類を決定する（リーチ種類決定用）
　上記カの【００６１】〜【００６３】には、「大当りと判定されたときには、ＣＰＵ５６は、
大当り図柄決定用乱数の値にもとづいて大当り図柄（確定図柄）を決定する
リーチ種類決定用乱数（ランダム５）
その値にもとづいてリーチ種類を決定する（ステップＳ５７）
　はずれと判定された場合には、ＣＰＵ５６は、
リーチとするか否か判定する
リーチ判定用の乱数であるランダム４の値
ＣＰＵ５６は、リーチ図柄の決定を行う
　この実施の形態では、
ランダム２−１の値に従って左右図柄を決定する（ステップＳ５９）
ランダム２−２の値に従って中図柄を決定する（ステップＳ６０）
リーチ種類決定用乱数（ランダム５）を抽出しその値にもとづいてリーチ種類を決定する（ステップＳ５７）
　上記クの【００７９】には、「上述したように、
始動入賞口１４に打球が入賞すると、基本回路５３は
特別図柄プロセス処理において、
停止図柄およびリーチ態様を決定するが、
　
　上記記載から、「リーチ態様」に「リーチ種類」が含まれると解される。
　また、「基本回路５３」に「主基板３１のＣＰＵ５６」が含まれることは、上記スにおいて述べたとおりである。
　
　したがって、刊行物１には、特別図柄プロセス処理において、
主基板３１のＣＰＵ５６は、停止図柄およびリーチ態様の決定を、
各種乱数値に基づいて行う
　
　ソ　上記サの【０１３５】の「
仮停止図柄決定処理において、表示制御用ＣＰＵ１０１は、
変動態様を特定可能な表示制御コマンドから、リーチにもならないはずれか否か判断する（ステップＳ７５１）
上記サの【０１３８】の「
主基板３１から再変動ありの変動態様を通知されていたら
所定の乱数にもとづいて仮停止図柄を決定する
　刊行物１には、
表示制御用ＣＰＵ１０１は、仮停止図柄決定処理において
主基板３１から変動態様を特定可能な表示制御コマンド
再変動ありの変動態様を通知されていたら
所定の乱数にもとづいて仮停止図柄を決定し、仮停止図柄を含んだ変動態様を設定する
　
　タ　上記ア〜シの記載事項、上記ス〜ソの認定事項、及び、図面の図示内容を総合すると、刊行物１には、次の発明（以下「刊行物１発明」という。）が記載されていると認められる。
　
　「
複数種類の図柄を可変表示するための可変表示部９
　
主基板３１のＣＰＵ５６は
　　
スイッチ回路５８を介して始動口センサ１７がオンしたことを判定（ステップＳ４１）すると
ステップＳ１１の特別図柄プロセス処理において
停止図柄およびリーチ態様を決定
　　
停止図柄およびリーチ態様の決定を各種乱数値に基づいて行
　
表示制御用ＣＰＵ１０１は、
　　
仮停止図柄決定処理において
主基板３１から変動態様を特定可能な表示制御コマンド
再変動ありの変動態様が通知されていたら
所定の乱数にもとづいて仮停止図柄を決定
仮停止図柄を含んだ
　　
表示制御用ＣＰＵ１０１は、主基板３１からの表示制御コマンドに応じて可変表示部９の表示制御を行
　
ＣＰＵ５６
特別図柄プロセス処理の全図柄停止待ち処理（ステップＳ３０５）
可変表示部９において表示される全図柄を停止すべきことを示す全図柄停止コマンドが表示制御基板８０に送出されるように制御
　
主基板３１から全図柄停止を指示する表示制御コマンドを受信すると、左右図柄の揺れ変動状態を終了させて左右中図柄が動かない確定状態になる
　
４　対比
　本願発明と刊行物発明とを対比する。
　ア　刊行物発明における「複数種類の図柄を可変表示するための可変表示部９」は、本願発明における「図柄を表示する図柄表示部」に相当する。
　
　イ　刊行物発明における「スイッチ回路５８を介して始動口センサ１７がオンしたことを判定（ステップＳ４１）すると、ステップＳ１１の特別図柄プロセス処理において、停止図柄およびリーチ態様を決定」する「主基板３１のＣＰＵ５６」と、
　本願発明における「始動検出信号を入力すると、変動パターンの抽選を実行する変動パターン抽選手段を備える主制御基板」とを対比する。
　
　刊行物発明における「スイッチ回路５８を介して始動口センサ１７がオンしたことを判定（ステップＳ４１）する」こと、「主基板３１のＣＰＵ５６」は、それぞれ、本願発明における「始動検出信号を入力する」こと、「主制御基板」に相当する。
　そして、刊行物発明における「リーチ態様」は、「変動態様」に含まれることから、本願発明における「変動パターン」に相当する。
　また、刊行物発明における「リーチ態様」の決定は、「
各種乱数値に基づいて行
　
　したがって、刊行物発明における「主基板３１のＣＰＵ５６」は、本願発明における「始動検出信号を入力すると、変動パターンの抽選を実行する変動パターン抽選手段を備える主制御基板」としての機能を有するものである。
　
　ウ　刊行物発明における「仮停止図柄決定処理において、主基板３１から変動態様を特定可能な表示制御コマンドにより再変動ありの変動態様が通知されていたら、所定の乱数にもとづいて仮停止図柄を決定し、仮停止図柄を含んだ変動態様を設定」する「表示制御用ＣＰＵ１０１」と、
　本願発明における「主制御基板から受信した変動パターンに基づいて、変動パターンとは異なる第２変動パターンの抽選を実行し、変動過程を設定する変動過程抽選設定手段」とを対比する。
　
　刊行物発明において「変動態様」は、主基板３１
のＣＰＵ５６
表示制御用ＣＰＵ１０１
　そして、刊行物発明の表示制御用ＣＰＵ１０１は、主基板３１から「再変動ありの変動態様」が通知されると、「所定の乱数にもとづいて」決定された「仮停止図柄」を組み込んだものを「新たな変動態様」として設定するものである。
　
　ここで、本願発明における「主制御基板から受信した変動パターンに基づいて、変動パターンとは異なる第２変動パターンの抽選を実行し、変動過程を設定する変動過程抽選設定手段」という発明特定事項の内容について検討する。
　本願発明において、「変動パターンとは異なる第２変動パターンの抽選を実行」するのは、「主制御基板から受信した変動パターン」に基づくのであり、「主制御基板から受信した変動パターン」によって「変動パターンとは異なる第２変動パターンの抽選を実行」する場合も、実行しない場合も含むものである。
　また、本願の明細書の【０１４０】〜【０１４９】の記載内容、及び、【図３４】の図示内容からみて、変動パターンの決定に際し、リーチライン数の増加の抽選を行わないで「入力した変動パターンをそのまま用いる」（Ｓ１６００）場合（Ｓ１２００でＮＯ、Ｓ１７００でＮＯ、Ｓ１９００でＮＯ）があることが示されている。
　そうすると、本願発明における「変動過程抽選設定手段」は、全ての「変動パターン」について、「変動パターンとは異なる第２変動パターンの抽選を実行し、変動過程を設定する」ものではなく、「変動パターンとは異なる第２変動パターンの抽選を実行」する場合も、実行しない場合もあるものと解される。
　一方、刊行物発明において、「変動態様」として「再変動ありの変動態様」があることから、主基板３１から通知される「変動態様」によっては、「再変動ありの変動態様」が設定される場合も、設定されない場合もあることになる。
　したがって、刊行物発明における「再変動ありの変動態様が通知され」ることは、本願発明における「主制御基板から受信した変動パターンに基づ」くことに相当し、同様に、刊行物発明における、「仮停止図柄を含んだ変動態様」は、「変動パターンとは異なる第２変動パターン」に相当する。
　
　これらのことからみて、刊行物発明における「表示制御用ＣＰＵ１０１」は、本願発明の「主制御基板から受信した変動パターンに基づいて、変動パターンとは異なる第２変動パターンの抽選を実行し、変動過程を設定する変動過程抽選設定手段」としての機能を有するものである。
　
　エ　刊行物発明における「主基板３１からの表示制御コマンドに応じて可変表示部９の表示制御を行」う「表示制御用ＣＰＵ１０１」と、
　本願発明における「変動過程抽選設定手段によって設定された第２変動パターンを用いて図柄表示部に図柄の変動を表示させる遊技図柄提供手段」とを対比する。
　
　刊行物発明は、主基板３１からの表示制御コマンドに応じて、仮停止図柄を含んだ変動態様を設定するものであり、設定された「仮停止図柄を含んだ変動態様」に基づいて、可変表示部９の表示制御を行うものである。
　
　したがって、刊行物発明の「表示制御用ＣＰＵ１０１」は、本願発明の「変動過程抽選設定手段によって設定された第２変動パターンを用いて図柄表示部に図柄の変動を表示させる遊技図柄提供手段」としての機能を有するものである。
　
　オ　刊行物発明における「ＣＰＵ５６は、特別図柄プロセス処理の全図柄停止待ち処理（ステップＳ３０５）において、可変表示部９において表示される全図柄を停止すべきことを示す全図柄停止コマンドが表示制御基板８０に送出されるように制御」することは、本願発明における「主制御基板は、図柄の変動を停止する図柄変動停止指令を出力」することに相当する。
　
　カ　刊行物発明における「主基板３１から全図柄停止を指示する表示制御コマンドを受信すると、左右図柄の揺れ変動状態を終了させて左右中図柄が動かない確定状態になる」ようにすることは、本願発明における「主制御基板から図柄変動停止指令を入力すると、図柄表示部に図柄の変動を停止させること」に相当する。
　
　キ　上記ア〜カから、本願発明と刊行物発明とは、
「図柄を表示する図柄表示部と、
　始動検出信号を入力すると、変動パターンの抽選を実行する変動パターン抽選手段を備える主制御基板と、
　前記主制御基板から受信した前記変動パターンに基づいて、前記変動パターンとは異なる第２変動パターンの抽選を実行し、変動過程を設定する変動過程抽選設定手段と、
　前記変動過程抽選設定手段によって設定された前記第２変動パターンを用いて前記図柄表示部に図柄の変動を表示させる遊技図柄提供手段と、
　を備え、
　前記主制御基板は、図柄の変動を停止する図柄変動停止指令を出力し、
　前記遊技図柄提供手段は、
　　前記主制御基板から前記図柄変動停止指令を入力すると、前記図柄表示部に図柄の変動を停止させる遊技機。」
の点で一致し、相違する点はない。
　
５　当審の判断
（１）上記４において検討したとおり本願発明は、刊行物発明に一致するものであるから、本願発明は、刊行物発明と同一のものであり、刊行物１に記載された発明である。
　
（２）請求人の主張について
　請求人は、平成２７年７月１日付けの審判請求書において、次のように主張している。
「本願発明と引用文献１に記載された発明とは、本願では、すべての変動パターンを非主制御基板側で決定しているのに対して、引用文献１では、仮停止図柄とそれ以降の図柄のみを変更している点が相違します（相違点）。」（３頁３〜５行）
　
　上記主張について検討する。
　本願発明に関し、「変動パターンとは異なる第２変動パターンの抽選を実行」する場合も、実行しない場合もあるものと解される。」ことは、前記４　ウにおいて検討したとおりであり、請求人の上記主張は、特許請求の範囲の記載、及び、明細書の記載に基づかない主張であるので採用することはできない。
　
　また、仮に、請求人が主張するように「本願では、すべての変動パターンを非主制御基板側で決定している」ものとして、刊行物発明が当該発明特定事項を有さない点で本願発明と相違するものとした場合について、以下検討する。
　遊技機の技術分野において、主制御基板から受信した変動パターンに基づいて、副制御基板において、当該変動パターンと異なる変動パターンを抽選により決定することは、本願の遡及日前に周知の技術事項である（例えば、特開２０００−３４２７９９号公報の【０１２２】、特開２００３−７１０５６号公報の【００７７】、【００７８】、【図１０】を参照。）。
　したがって、刊行物発明に上記周知の技術事項を適用して、
表示制御用ＣＰＵ１０１
主基板３１のＣＰＵ５６
再変動ありの変動態様
　
６　むすび
　以上のとおりであるから、本願発明は、特許法第２９条第１項第３号に該当し、又は、特許法第２９条第２項の規定により特許を受けることができない。
　したがって、本願は、拒絶されるべきものである。
　
　よって、結論のとおり審決する。